(57)【特許請求の範囲】
【請求項１】
テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部とを連結したことを特徴とするテント。
【請求項２】
テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を伸縮性部材によって連結したことを特徴とするテント。
【請求項３】
テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を、バックルによって必要長さを調節することができるテープ部材を介して連結したことを特徴とするテント。
【請求項４】
テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を連結し、さらにポールスリーブの端末部の縦方向必要長さを調節するため、ポールスリーブを構成する布地を縦方向に絞り込むことのできるバックル付きテープ部材をポールスリーブの端末部付近に付設したことを特徴とするテント。
【発明の詳細な説明】
【０００１】
【発明の属する技術分野】
本発明は繋ぎ合わせた長尺状のポールが有する弾性力を利用して張設するようになしたテントに関するものである。
【０００２】
【従来の技術】
テント本体の外周部に付設したポールスリーブ内に、繋ぎ合わせた長尺状のポールを挿着し、当該ポールの弾性力を利用して張設するようになしたテントは、実開昭５０−１４１４０９号公報、実開昭５１−４４１１２号公報、実開昭５１−５７５０３号公報及び実開昭５１−１４２７０８号公報によって既に公知となっている。
【０００３】
そして、これら公知のポールを用いて張設するテントは、そのいずれもがポールスリーブがテント本体の頂点付近及び端末付近で途切れていて、ポールはテント本体の頂点付近及び端末付近で露出するようになっており、テント本体の各隅角部に取付けた支承部材のグロメット孔内にポールの両端を強制的に挿着して係止したり、あるいはテント本体の各隅角部に取付けた実開昭５１−５７５０３号公報に示されるが如き特殊なフレーム受け具の切欠部内にポールの端部を強制的に嵌入して係止するようにしていた。
【０００４】
【発明が解決しようとする課題】
前記したように、従来型テントのほとんどは、テント本体の外周部に縫着等で付設されるポールスリーブがテント本体の一方の隅角部から他方の隅角部まで連続して形成されておらず、ポールはテント本体の頂点部と端末付近で露出するようになっていた。
【０００５】
そのため、繋ぎ合わせて長尺状となしたポールをポールスリーブ内に挿着する際、頂点部においてポールの先端部をスリーブ内に入れ直さなければならず、設営に煩わしさが伴うという問題点があった。また、スリーブ内にポールを通し終えた後、テント本体の反対側に回ってポールの先端を強制的にグロメット孔に入れたり、あるいはフレーム受け具の切欠部内にポールの先端付近を強制的に嵌入する作業が不可欠であり、これらの作業には相当の力を要するためスムーズな設営作業のためには複数人を要するという問題点があった。
【０００６】
そこで、本発明は前記した従来型テントの不具合点を解消し、一人でも難なくテントの設営が行えるようになした改良されたテントを提供することを目的とするものである。
【０００７】
【課題を解決するための手段】
前記目的を達成するための本発明の構成を詳述すれば、請求項１に係る発明は、テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部とを連結したことを特徴とするテントである。
【０００８】
請求項２に係る発明は、テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を伸縮性部材によって連結したことを特徴とするテントである。
【０００９】
また、請求項３に係る発明は、テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を、バックルによって必要長さを調節することができるテープ部材を介して連結したことを特徴とするテントである。
【００１０】
さらに、請求項４に係る発明は、テント本体の外周部に付設したポールスリーブ内に、繋ぎ合わせた長尺状のポールを挿着し、当該ポールが有する弾性力を利用して張設するようになしたテントにおいて、テント本体の外周部に付設するポールスリーブを、テント本体の一方の隅角部から他方の隅角部まで間断なく連続して形成すると共に、当該ポールスリーブの両端末部を袋とじ状となし、且つポールスリーブの両端付近の裏側をテント本体から分離して、当該分離されたポールスリーブの裏面にポールを挿着するための開口となるスリットを設けると共に、ポールスリーブの両端末部とテント本体の隅角部との間を連結し、さらにポールスリーブの端末部の縦方向必要長さを調節するため、ポールスリーブを構成する布地を縦方向に絞り込むことのできるバックル付きテープ部材をポールスリーブの端末部付近に付設したことを特徴とするテントである。
【００１１】
本発明テントはこのように、テント本体の外周部に付設するポールスリーブを、テント本体の一方の隅角部から他方の隅角部まで、頂点部を含め間断なく連続して形成するようになしたもので、これによって長尺状のポールを途中で入れ直すことなくスリーブ内にスムーズに挿着することができるようになる。
【００１２】
また、ポールスリーブの両端末部を袋とじとしてあるので、ポールの両端部は当該袋とじ部内で係止された状態となり、従来必要であったグロメット孔を具えた支承片や、特殊なフレーム受け具をテント本体の各隅角部に付設する必要がなくなるものである。これに伴い、グロメット孔やフレーム受け具の切欠部内に、ポールの先端部を力を入れて強制的に嵌め入れる作業も不要となるもので、従来型テントに較べ一人でも簡単に設営することができるようになる。
【００１３】
なお、袋とじ状となしたポールスリーブの端末部とテント本体の隅角部とは縫着等の手段によって連結する必要があるが、当該連結にあたっては補強布で補強したポールスリーブの端末部をテント本体の隅角部に単純に縫着によって連結する方法の他、自在に伸縮する布地の如き伸縮性部材を介して連結するようにすると、ポールの挿着及び取り出しが一層容易となる。
【００１４】
さらに、袋とじ状となしたポールスリーブの端末部とテント本体の隅角部とをバックルによって必要長さを調節することができるテープ部材を介して連結することもでき、この場合にはバックルによってポールスリーブの端末部とテント本体の隅角部の間の離隔距離を調整することが可能となり、ポールのテンションを調節することができると共に、バックルを緩めてポールスリーブの端末部とテント本体の隅角部の間を広くすることによってポールの出し入れが容易となるものである。
【００１５】
また、テント本体のみならず、ポールスリーブを構成する布地は、幕営地の湿度や温度条件等によって伸び縮みするため、繋ぎ合わせた長尺状のポールの長さとポールスリーブの最適長さとが合致しなくなることも想定されるが、この場合にはポールスリーブを構成する布地を縦方向に絞り込むことのできるバックル付きテープ部材をポールスリーブの端末部付近に付設すれば、ポールスリーブの必要長さをポールの長さに一致させることができ、弛みなくテント本体を張設することが可能となる。
【００１６】
【発明の実施の形態】
以下、本発明に係るテントの具体的構成を図示の実施例に基づき詳細に説明する。
図１は平面からみて矩形状となした本発明テントの一実施例を示す平面図、図２は平面からみて六角形状となした本発明テントの一実施例を示す平面図、図３はテント本体の隅角部周辺の拡大斜視図、図４はポールスリーブの端末部とテント本体の隅角部の連結部を開放した状態の拡大斜視図、図５（Ａ）乃至（Ｄ）は本発明の他の実施例を示すテント本体の隅角部周辺の斜視図である。
【００１７】
図中１は平面からみて正方形状、矩形状、あるいは六角形状等に形成されたテント本体であり、２は当該テント本体１の外周部に縫着等で付設されたポールスリーブである。
【００１８】
矩形状、あるいは正方形状をなすテント本体１の場合、図１に示すようにポールスリーブ２はテント本体１の外周部に中央で交差するように２本付設するものであり、図２に示す六角形状をなすテント本体１の場合には３本のポールスリーブ２を各対角線を結ぶように縫着等で取付けるものである。
【００１９】
本発明テントにおけるポールスリーブ２は、図１及び図２に示すようにテント本体１の一方の隅角部３から他方の隅角部３まで間断なく連続して形成してあり、中央の交差部は特に詳細には図示しないが、繋ぎ合わせた長尺状のポール４の挿着進入に支障を来さないよう立体交差となっている。
【００２０】
ポールスリーブ２の両端部は前記したようにテント本体１の隅角部３に届くまで延設してあり、ポールスリーブ２の当該両端末部は縫着等によって袋とじ状となっている。また、ポールスリーブ２の両端付近の裏側は図３及び図４に示すようにテント本体１から引き離されており、当該テント本体１から分離されたポールスリーブ２の裏面にはポール４を挿着する際の開口となるスリット５を形成してある。
【００２１】
ポールスリーブ２の両端付近をテント本体１から引き離したままの状態であると、テント本体１の隅角部３周辺にポール４のテンションが作用せず、その結果弛みが生ずるので、当然ながらポールスリーブ２の両端末部とテント本体１の隅角部３とは連結する必要がある。その際、図３に示すように補強布で補強されたポールスリーブ２の端末部をテント本体１の隅角部３に単純に縫着によって連結することもできる。この場合、ポールスリーブ２内に挿着した長尺状のポール４の端部をポールスリーブ２の袋とじ部内に入れ易くするため、図４に示すように袋とじ部を構成する一方の側布６をテント本体１の隅角部３には縫着せずに開閉自在な状態となし、開口部に面ファスナー７、又はホック等を付設するようにするとよい。
【００２２】
図３及び図４に示す実施例の場合、繋ぎ合わせた長尺状のポール４の先端を、テント本体１の一方の隅角部３に開口しているポールスリーブ２のスリット５より挿入し、他方の隅角部３方向まで一気に挿着することができる。ポールスリーブ２の端末部は袋とじとしてあるので、従来のようにグロメット孔内にポール４の先端を嵌め入れたりする作業は一切不要である。
【００２３】
ポール４の他端部は、側布６を面ファスナー７等から引き剥がしてポールスリーブ２の袋とじ部内に入れ込むことによりポール４の挿着作業を終了し、次いでポールスリーブ２の端末部に取付けてある環状テープ部材８にペグを引っ掛けて地中に打ち込み、また、特に図示しないがポールスリーブ２の上方位置に取付けてあるいくかつのロープを解いて立木等に繋いだりすることによって設営を完了する。なお、前記環状テープ部材８はポール４の端末を袋とじ部内に入れる際、ポールスリーブ２の端末部を外方に向け引っ張るときの手掛かりともなるものである。
【００２４】
次に、図５（Ａ）に示す実施例は、テント本体１から分離されたポールスリーブ２の端末部とテント本体１の隅角部３とを連結するに際し、自在に伸縮するゴム弾性と強靱性を併せもった布地の如き伸縮性部材９を介して連結するようにしたものであり、ポール４の挿着及び取り出しが容易となる。なお、この伸縮性部材９は図５（Ａ）に示す如くポールスリーブ２の端末部全体を構成するようにしてもよいし、あるいは図５（Ｂ）に示す如く通常素材によって構成されたポールスリーブ２の端末部とテント本体１の間に介在させるようにしてもよいものである。
【００２５】
図５（Ａ）及び（Ｂ）に示す実施例の場合、伸縮性部材９によってテント本体１の隅角部３とポールスリーブ２の端末部とは弾性的に連結されるので前記した実施例の如き一方の側布を開閉自在にする必要は特にないが、場合によっては一方の側布を開閉自在となし、面ファスナーによって止め付けるようにしてもよいものである。
【００２６】
図５（Ｃ）に示す実施例は、テント本体１から分離されたポールスリーブ２の端末部とテント本体１の隅角部３とを連結するに際し、ポールスリーブ２の端末部とテント本体１の隅角部３との間を、バックル１０によって必要長さを調節することができるテープ部材１１を介して連結するようにしたものである。
なお、図示する実施例ではバックル１０をポールスリーブ２側に取付けてあるが、これをテント本体１側に取付けるようにしてもよいのは勿論である。
【００２７】
この実施例によった場合、バックル１０によってポールスリーブ２の端末部とテント本体１の隅角部３の間の離隔距離を調整することができ、ポール４のテンション調整がある程度可能となる。
【００２８】
また、図５（Ｄ）に示す実施例は、ポールスリーブ２を構成する布地を縦方向に絞り込むことのできるバックル付きテープ部材１２をポールスリーブ２の端末部付近に縦方向に沿って付設したものであり、当該バックル付きテープ部材１２を付設することによって、ポールスリーブ２の縦方向必要長さをある程度調整することが可能となる。
【００２９】
すなわち、テント本体１のみならず、ポールスリーブ２を構成する合成繊維を主体とした布地は、幕営地の湿度や温度条件等によって伸び縮みするため、繋ぎ合わせたポール４の長さに合致しなくなることがあり、この場合、バックル付きテープ部材１２を調節することによって、ポールスリーブ２を構成する布地を縦方向に絞り込んだり、あるいは緩めたりすることができ、このような調節によってポールスリーブ２の必要長さをポール４の長さに一致させることができ、その結果弛みなくテントを張設することが可能となる。
【００３０】
なお、図５（Ｄ）に示す実施例ではバックル付きテープ部材１２をポールスリーブ２の峰の部分に付設しているが、これをポールスリーブ２の側面部に付設するようにしてもよいのは勿論である。また、ポールスリーブ２の端末部とテント本体１の隅角部３との間の連結方法は前記した通常の縫着手段によるものの他、伸縮性部材を介して連結したり、あるいはバックルによって必要長さを調節することができるテープ部材を介して連結するようにしてもよいものである。
【００３１】
【発明の効果】
本発明は、以上のようにテント本体の外周部に付設するポールスリーブを、テント本体の一方の隅角部から他方の隅角部まで、頂点部を含め間断なく連続して形成するようにしてあるので、長尺状のポールを途中で入れ直すことなくスリーブ内にスムーズに挿着することができるようになる。また、ポールスリーブの両端末部を袋とじとしてあるので、ポールの両端部は当該袋とじ部内で係止された状態となり、従来必要であったグロメット孔を具えた支承片や、特殊なフレーム受け具をテント本体の各隅角部に付設する必要がなくなる。これに伴い、グロメット孔やフレーム受け具の切欠部内にポールの先端部を強制的に嵌め入れる作業も不要となるもので、従来型テントに較べ一人でも簡単に設営することができるようになる。
【００３２】
さらに、ポールスリーブの端末部とテント本体の隅角部とを、ゴム弾性を有する伸縮性部材を介して連結した場合には、ポールの挿着及び取り出しが一層容易となる。また、ポールスリーブの端末部とテント本体の隅角部とをバックルによって必要長さを調節することができるテープ部材を介して連結した場合には、バックルによってポールスリーブの端末部とテント本体の隅角部の間の離隔距離を調整することができるようになりポールのテンション調整も可能となる。
【００３３】
また、ポールスリーブを構成する布地を縦方向に絞り込むことのできるバックル付きテープ部材をポールスリーブの端末部付近に付設すれば、ポールスリーブの必要長さをポールの長さに一致させることができ、弛みなくテント本体を設営することが可能となる。
【図面の簡単な説明】
【図１】平面からみて矩形状となした本発明テントの一実施例を示す平面図である。
【図２】平面からみて六角形状となした本発明テントの一実施例を示す平面図である。
【図３】テント本体の隅角部周辺の拡大斜視図である。
【図４】ポールスリーブの端末部とテント本体の隅角部の連結部を開放した状態の拡大斜視図である。
【図５】図５（Ａ）乃至（Ｄ）はいずれも本発明の他の実施例を示すテント本体の隅角部周辺の斜視図である。
【符号の説明】
１：テント本体                    ２：ポールスリーブ
３：隅角部                        ４：ポール
５：スリット                      ６：側布
７：面ファスナー                  ８：環状テープ部材
９：伸縮性部材                  １０：バックル
１１：テープ部材                  １２：バックル付きテープ部材
【図１】
0003922496.tif 000002
【図２】
0003922496.tif 000003
【図３】
0003922496.tif 000004
【図４】
0003922496.tif 000005
【図５】
0003922496.tif 000006